(57)【要約】【課題】簡単な構造であるにもかかわらず、簡単にカレンダー帳の制作が可能となる、用紙の揃え易さや作業の確実性に優れ、便利で使い勝手の良いカレンダー帳の製本用治具及びその治具を使用した製本方法を提供する。【解決手段】基板の左右両側縁に、カレンダー紙片の左右両端の位置を規制する両端規制部材を取り付け、基板の下縁の左右コーナー部に、カレンダー紙片の左右両端位置と、下縁位置と、開放背面側位置とを規制する左右コーナー規制部材を取り付け、基板の上縁の近傍に固定磁石シートを配設し、基板上の前記固定磁石シートの配設位置よりもさらに上縁側方向位置に、カレンダー紙片に形成する吊下げ孔に差し込まれて、カレンダー紙片の位置を確定する位置決め用ピンを突設し、固定磁石シートと対を成し、カレンダー紙片を挟み込んだ状態でそのカレンダー紙片を押さえつけることができる取り外し自在の上側磁石シートとから構成される。【選択図】図３
2010000749.tif 000002
【特許請求の範囲】
【請求項１】
矩形状を呈する基板の左右両側縁に、カレンダー紙片の左右両端の位置を規制する両端規制部材を取り付け、前記基板の下縁の左右コーナー部に、カレンダー紙片の左右両端位置と、下縁位置と、開放背面側位置とを規制する左右のコーナー規制部材を取り付け、さらに前記基板の上縁の近傍に固定磁石シートを配設し、この基板上の前記固定磁石シートの配設位置よりもさらに上縁側方向位置に、カレンダー紙片及び背カバーに形成する吊下げ孔に差し込まれて、カレンダー紙片及び背カバーの位置を確定する位置決め用ピンを突設し、前記固定磁石シートと対を成し、カレンダー紙片を挟み込んだ状態でそのカレンダー紙片を押さえつけることができる取り外し自在の上側磁石シートとから構成されることを特徴とするカレンダー帳の製本用治具。
【請求項２】
矩形状を呈する基板の左右両側縁に、カレンダー紙片の左右両端の位置を規制する両端規制部材を取り付け、前記基板の下縁の左右コーナー部に、カレンダー紙片の左右両端位置と、下縁位置と、開放背面側位置とを規制する左右のコーナー規制部材を取り付け、さらに前記基板の上縁の近傍に固定磁石シートを配設し、この基板上の前記固定磁石シートの配設位置よりもさらに上縁側方向位置に、カレンダー紙片及び背カバーに形成する吊下げ孔に差し込まれて、カレンダー紙片及び背カバーの位置を確定する位置決め用ピンを突設し、前記固定磁石シートと対を成し、カレンダー紙片を挟み込んだ状態でそのカレンダー紙片を押さえつけることができる取り外し自在の上側磁石シートとから構成されるカレンダー帳の製本治具を用意し、
さらに前記基板の位置決め用ピンに差込可能となる吊下げ孔を穿設した二つ折り状の背カバーと、同じくその位置決め用ピンに差込可能となる吊下げ孔を穿設したカレンダー紙片とを用意し、このカレンダー紙片には二つ折り状の背カバーで挟持された状態で、不要となったカレンダー紙片を切り取り可能となる切り取り用ミシン目が形成されており、二つ折り状の背カバーで挟持されるカレンダー紙片位置には接着剤充填孔が形成されており、
最初に前記基板の位置決め用ピンに二つ折り状の背カバーの一片側の吊下げ孔を差し込む第一準備工程と、
ついでカレンダー紙片を表紙側から順に下向き状態となるように並べ、前記基板の両端規制部材と左右のコーナー規制部材にカレンダー紙片の端縁を当接させながらカレンダー紙片を整列させた後、カレンダー紙片の吊下げ孔を前記基板の位置決め用ピンに差し込む第二セット工程と、
前記基板の固定磁石シートとカレンダー紙片を挟みこんだ状態で対面するように上側磁石シートを置いてカレンダー紙片の安定保持を図る第三セット工程と、
カレンダー紙片の接着剤充填孔に接着剤を充填する第四接着剤充填工程と、
二つ折り状背カバーの他片側の吊下げ孔を前記基板の位置決め用ピンに差し込むと共に、二つ折り状の背カバーとカレンダー紙片との圧着を図る第５圧着工程とからなることを特徴とする製本用治具を使用した製本方法。
【請求項３】
二つ折り状の背カバーの他片側の内面に、離型紙付き両面テープを備えたことを特徴とする請求項２記載の製本用治具を使用した製本方法。
【発明の詳細な説明】
【技術分野】
【０００１】
本発明はカレンダー帳の製本用治具及びその治具を使用した製本方法に係り、さらに詳しくは、複数枚のカレンダー紙片（通常は表紙を含めて、７枚又は１３枚で構成される）を束ね、その上辺をしっかりと綴じ合わせてカレンダー帳を完成させるための製本用治具及びその治具を使用した製本方法に関する。
【背景技術】
【０００２】
従来より、複数枚のカレンダー紙片を手で揃えて整列させ、整列したカレンダー紙片の上端に背カバーを被せ、その部分を接着剤でとめるという手順からなるカレンダー帳の製本方法は知られている（特許文献1）。
【０００３】
さらに複雑な丁合い装置や製本装置を利用した、大掛かりな大量生産用のカレンダー帳の製本方法も知られている（特許文献２乃至４）。
【０００４】
【特許文献１】特開平６−２６２８７８号公報
【特許文献２】特開平７−１５６５７４号公報
【特許文献３】特開２００１−３４７７７５号公報
【特許文献４】特開２００１−３５３９８２号公報
【発明の開示】
【発明が解決しようとする課題】
【０００５】
上記の特許文献１乃至４に示すカレンダー帳の製本方法は、例えば自らの好みでデザインを選択し、そのデザインをカレンダー紙片に印刷し、そのカレンダー紙片を綴じ合わせるという手作りの範疇に属する少量のカレンダー帳を、大掛かりな装置を用いることなく、効率的かつきれいに仕上げることには向いていない等の問題があった。
【０００６】
そのため、カレンダー帳の製本に不慣れな人にも、安価で経済的で、用紙の揃え易さや作業の確実性に優れ、使い勝手の良い少量のカレンダー帳を制作する際に特に便利な、カレンダー帳の製本用治具及びその治具を使用した製本方法の出現が待望されていた。
【０００７】
本発明は、簡単な構造であるにもかかわらず、簡単にカレンダー帳の制作が可能となる、用紙の揃え易さや作業の確実性に優れ、便利で使い勝手の良いカレンダー帳の製本用治具及びその治具を使用した製本方法を提供せんとするものである。
【課題を解決するための手段】
【０００８】
本発明に係るカレンダー帳の製本用治具及びその治具を使用した製本方法の請求項１記載のものは、矩形状を呈する基板の左右両側縁に、カレンダー紙片の左右両端の位置を規制する両端規制部材を取り付け、前記基板の下縁の左右コーナー部に、カレンダー紙片の左右両端位置と、下縁位置と、開放背面側位置とを規制する左右のコーナー規制部材を取り付け、さらに前記基板の上縁の近傍に固定磁石シートを配設し、この基板上の前記固定磁石シートの配設位置よりもさらに上縁側方向位置に、カレンダー紙片及び背カバーに形成する吊下げ孔に差し込まれて、カレンダー紙片及び背カバーの位置を確定する位置決め用ピンを突設し、前記固定磁石シートと対を成し、カレンダー紙片を挟み込んだ状態でそのカレンダー紙片を押さえつけることができる取り外し自在の上側磁石シートとから構成されることを特徴とするカレンダー帳の製本用治具である。
【０００９】
また請求項２記載のものは、矩形状を呈する基板の左右両側縁に、カレンダー紙片の左右両端の位置を規制する両端規制部材を取り付け、前記基板の下縁の左右コーナー部に、カレンダー紙片の左右両端位置と、下縁位置と、開放背面側位置とを規制する左右のコーナー規制部材を取り付け、さらに前記基板の上縁の近傍に固定磁石シートを配設し、この基板上の前記固定磁石シートの配設位置よりもさらに上縁側方向位置に、カレンダー紙片及び背カバーに形成する吊下げ孔に差し込まれて、カレンダー紙片及び背カバーの位置を確定する位置決め用ピンを突設し、前記固定磁石シートと対を成し、カレンダー紙片を挟み込んだ状態でそのカレンダー紙片を押さえつけることができる取り外し自在の上側磁石シートとから構成されるカレンダー帳の製本治具を用意し、
さらに前記基板の位置決め用ピンに差込可能となる吊下げ孔を穿設した二つ折り状の背カバーと、同じくその位置決め用ピンに差込可能となる吊下げ孔を穿設したカレンダー紙片とを用意し、このカレンダー紙片には二つ折り状の背カバーで挟持された状態で、不要となったカレンダー紙片を切り取り可能となる切り取り用ミシン目が形成されており、二つ折り状の背カバーで挟持されるカレンダー紙片位置には接着剤充填孔が形成されており、
最初に前記基板の位置決め用ピンに二つ折り状の背カバーの一片側の吊下げ孔を差し込む第一準備工程と、
ついでカレンダー紙片を表紙側から順に下向き状態となるように並べ、前記基板の両端規制部材と左右のコーナー規制部材にカレンダー紙片の端縁を当接させながらカレンダー紙片を整列させた後、カレンダー紙片の吊下げ孔を前記基板の位置決め用ピンに差し込む第二セット工程と、
前記基板の固定磁石シートとカレンダー紙片を挟みこんだ状態で対面するように上側磁石シートを置いてカレンダー紙片の安定保持を図る第三セット工程と、
カレンダー紙片の接着剤充填孔に接着剤を充填する第四接着剤充填工程と、
二つ折り状背カバーの他片側の吊下げ孔を前記基板の位置決め用ピンに差し込むと共に、二つ折り状の背カバーとカレンダー紙片との圧着を図る第５圧着工程とからなることを特徴とする製本用治具を使用した製本方法である。
【００１０】
また請求項３記載のものは、二つ折り状の背カバーの他片側の内面に、離型紙付き両面テープを備えたことを特徴とする請求項２記載の製本用治具を使用した製本方法である。
【発明の効果】
【００１１】
本発明に係るカレンダー帳の製本用治具及びその治具を使用した製本方法は、少量のカレンダーを制作するのに適し、従来方法のように大掛かりな大量生産用の丁合い装置や製本装置を利用することなく、またカレンダー制作に不慣れな人にとっても、用紙の揃え易さや作業の確実性に優れ、簡単に、きれいな仕上がりのカレンダー帳を得ることができるなどの優れた効果がある。
【発明を実施するための最良の形態】
【００１２】
以下、図面を参照して本発明のカレンダー帳の製本用治具及びその治具を使用した製本方法の実施の形態を説明する。
図１は本発明のカレンダー帳の製本用治具の斜視図であり、図２は本発明のカレンダー紙片の斜視図であり、図３乃至図６は本発明のカレンダー帳の製本用治具を使用してカレンダー帳を製本するための工程図である。
【００１３】
本発明に係るカレンダー帳の製本用治具は、図１に示すように、ある程度の剛性を確保した矩形状を呈する基板１の左右両側縁には両端規制部材２が取り付けられている。この両端規制部材２は、カレンダー紙片９を整列させる際に、カレンダー紙片９の左右両端の位置を規制するために設けられており、その上面は基板１の上面よりわずかに上方に突出するように設けられている。
またこの両端規制部材２の長手方向の長さは自由に決めることができるが、図１において両端規制部材２の上端位置（両端規制部材２の長手方向の天側位置）を基板１の長手方向の天側方向に沿ってさらに延長させ、基板１の天側端縁よりもわずかに内側に来る位置まで伸ばすことも可能であり、そのように両端規制部材２の長さを延長させた場合にはカレンダー紙片９の整列作業（揃え作業）が安定する結果となる。
【００１４】
さらにこの基板１の下縁の左右コーナー部には、左右のコーナー規制部材３が取り付けられている。このコーナー規制部材３は、カレンダー紙片９を整列させる際に、カレンダー紙片９の下縁の左右両端位置と下縁位置（すなわち、左右のコーナー部）及びカレンダー紙片９の開放背面側位置（図３では、カレンダー紙片９が表紙側を下側にしてセットされるので、カレンダー紙片９における手前側の開放背面側位置を意味する）を規制するために設けられている。
【００１５】
また基板１の上縁の近傍には、シート状を呈する磁石、すなわち固定磁石シート５が配設されており、さらに基板１上のその配設位置よりも上縁側方向位置には位置決め用ピン４が突設されている。この位置決め用ピン４は、カレンダー紙片９及び二つ折り状の背カバー７に形成されている吊下げ孔８，１１に差し込まれて、カレンダー紙片９及び二つ折り状の背カバー７の位置を適正な位置に確定させるためのものである。
この位置決め用ピン４で二つ折り状の背カバー７の位置を決めると共に、カレンダー紙片９の上縁側の位置を確定し、カレンダー紙片９の左右両端位置と左右両端位置と、その下縁位置及び開放背面側位置は、前記した両端規制部材２とコーナー規制部材３とで確定されるので、カレンダー紙片９と背カバー７を自動的に適正な位置に収まる結果となる。
【００１６】
このようにして、基板１の上面でカレンダー紙片９及び背カバー７の適正な位置が確定した状態で、上側磁石シート６を前記固定磁石シート５の上方位置にセットすると、カレンダー紙片９のセット状態は一層安定した状態となる。
すなわち、上側磁石シート６の役割は、カレンダー紙片９を適正な位置に安定保持する役割と、カレンダー紙片９がカールして反ってしまうことを防止する役割とがある。
【００１７】
次に本発明の製本方法について説明する。
（第一準備工程）
基板１の位置決め用ピン４に、二つ折り状の背カバー７の一片側の吊下げ孔８差し込んで、二つ折り状の背カバー７の適正位置を確保する。
【００１８】
（第二セット工程）
次いでカレンダー紙片９を必要枚数分並べ、表紙側のページが図面上最下段となるようにセットして、各カレンダー紙片９の吊下げ孔８を、前記の位置決め用ピン４に差し込むように宛がう。このとき、カレンダー紙片９の基板１へのセットは、上記で説明したごとく両端規制部材２やコーナー規制部材３を利用して行う。
【００１９】
（第三セット工程）
基板１の上面でカレンダー紙片９及び背カバー７の適正な位置が確定した状態で、上側磁石シート６を前記固定磁石シート５の上方位置にセットして、カレンダー紙片９のカールを防止しつつセット状態を安定させる。
【００２０】
（第四接着剤充填工程）
第三セット工程が完了した状態で、カレンダー紙片９に穿設した接着剤充填孔１２に、ホットメルトのような接着剤１４を適宜の方法で充填し、接着剤１４が乾燥する前に背カバー７の他片側を折りたたんでカレンダー紙片９の上に被せ、その上から適宜のプレスをかけて接着状態を万全なものにする。
【００２１】
ここで背カバー７の他片側の内面に、離型紙付きの両面テープ１３を備えておくと、背カバー７の他片側をカレンダー紙片９に被せる直前に離型紙を剥がしてから圧着すると、背カバー７とカレンダー紙片９の接着状態は一層万全なものとなる。
【産業上の利用可能性】
【００２２】
本発明によれば、少量のカレンダー帳を制作する分野で利用可能である。
【図面の簡単な説明】
【００２３】
【図１】本発明のカレンダー帳の製本用治具の斜視図である。
【図２】本発明のカレンダー紙片の斜視図である。
【図３】本発明のカレンダー帳の製本用治具を使用してカレンダー帳を製本するための工程図である。
【図４】本発明のカレンダー帳の製本用治具を使用してカレンダー帳を製本するための工程図である。
【図５】本発明のカレンダー帳の製本用治具を使用してカレンダー帳を製本するための工程図である。
【図６】本発明のカレンダー帳の製本用治具を使用してカレンダー帳を製本するための工程図である。
【符号の説明】
【００２４】
１  基板
２  両端規制部材
３  コーナー規制部材
４  位置決め用ピン
５  固定磁石シート
６  上側磁石シート
７  二つ折り状の背カバー
８  二つ折り状の背カバーの吊下げ孔
９  カレンダー紙片
１０  カレンダー紙片の切り取り用ミシン目
１１  カレンダー紙片の吊下げ孔
１２  カレンダー紙片の接着剤充填孔
１３  二つ折り状の背カバーの内面に設けた離型紙付きの両面テープ
１４  接着剤充填孔に充填された接着剤
【図１】
2010000749.tif 000003
【図２】
2010000749.tif 000004
【図３】
2010000749.tif 000005
【図４】
2010000749.tif 000006
【図５】
2010000749.tif 000007
【図６】
2010000749.tif 000008